【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
一対の上部左右梁に接合される前後梁の第１の対、一対の下部左右梁に接合される前後梁の第２の対、ならびに、前記一対の上部左右梁及び前記一対の下部左右梁に接合される複数の垂直柱を含むキャビネットフレームと、
前記前後梁の第１の対の１つに、かつ前記前後梁の第２の対の１つに、着脱自在に接合される前方機器レールと、
前記前方機器レールに、かつ前記複数の垂直柱の１つに着脱自在に接合される構造エアダムと、
を含む、電子機器キャビネット。
【請求項２】
前記前後梁の第１の対が前記一対の上部左右梁に溶接され、前記前後梁の第２の対が前記一対の下部左右梁に溶接され、かつ前記複数の垂直柱が前記一対の上部左右梁及び前記一対の下部左右梁に溶接される、請求項１に記載の電子機器キャビネット。
【請求項３】
前記前後梁の第１の対及び前記前後梁の第２の対が、対応する前記複数の垂直柱に対して差し込まれる、請求項１に記載の電子機器キャビネット。
【請求項４】
前記キャビネットフレームが、一対の前記複数の垂直柱の間に位置し、一対の前記複数の垂直柱に接合される補強前後梁をさらに含む、請求項１に記載の電子機器キャビネット。
【請求項５】
前記補強前後梁が前記一対の前記複数の垂直柱に溶接される、請求項４に記載の電子機器キャビネット。
【請求項６】
前記構造エアダムが前記補強前後梁に接合される、請求項４に記載の電子機器キャビネット。
【請求項７】
前記構造エアダムがビームブラケットを通じて前記補強前後梁に接合される、請求項６に記載の電子機器キャビネット。
【請求項８】
前記前後梁の第１の対の１つに、前記前後梁の第２の対の１つに、かつ前記補強前後梁に着脱自在に接合される後方機器レールをさらに含む、請求項４に記載の電子機器キャビネット。
【請求項９】
前記後方機器レールが後方ビームブラケットを通じて前記補強前後梁に接合される、請求項８に記載の電子機器キャビネット。
【請求項１０】
前記複数の垂直柱の２つに接合される上側パネル梁と、
前記複数の垂直柱の前記２つに接合される下側パネル梁と、
をさらに含む、請求項１に記載の電子機器キャビネット。
【請求項１１】
前記上側パネル梁が前記複数の垂直柱の前記２つに溶接され、前記下側パネル梁が前記複数の垂直柱の前記２つに溶接される、請求項１０に記載の電子機器キャビネット。
【請求項１２】
前記下側パネル梁及び前記上側パネル梁に係合するように構成されるサイドパネルをさらに含む、請求項１０に記載の電子機器キャビネット。
【請求項１３】
前記サイドパネルの下部から延在し、前記サイドパネルの前記下部が前記下側パネル梁の上面に載せられるために、前記下側パネル梁内のスロットに係合するように構成されるタブを有する管状部材を前記サイドパネルが含む、請求項１２に記載の電子機器キャビネット。
【請求項１４】
前記上側パネル梁のフランジに係合し、前記サイドパネルの取り外しを防止するように構成される前記サイドパネルの上部に隣接するロック機構を、前記サイドパネルがさらに含む、請求項１３に記載の電子機器キャビネット。
【請求項１５】
前記構造エアダムが略Ｃ字形断面を有し、その中に形成される少なくとも１つの通過可能な切欠部を含む、請求項１に記載の電子機器キャビネット。
【請求項１６】
前記構造エアダムがポストブラケットを通じて前記前方機器レールに接合される、請求項１に記載の電子機器キャビネット。
【請求項１７】
前記キャビネットフレームの上部に着脱自在に接合される上部キャップをさらに含む、請求項１に記載の電子機器キャビネット。
【請求項１８】
前記キャビネットフレームの前記上部に着脱自在に接合される前部及び、前記キャビネットフレームの前記上部に着脱自在に接合される離れた後部を前記上部キャップが含む、請求項１７に記載の電子機器キャビネット。
【請求項１９】
データ及び／または電力ケーブルの通過を可能にするように構成される、少なくとも１つの開口部を前記上部キャップが含む、請求項１７に記載の電子機器キャビネット。
【請求項２０】
前記上部キャップに隣接する前記キャビネットフレームの前記上部に着脱自在に接合される垂直排気ダクトをさらに含む、請求項１７に記載の電子機器キャビネット。
【請求項２１】
上部フレームを形成するための一対の上部左右梁に接合される前後梁の第１の対、下部フレームを形成するために一対の下部左右梁に接合される前後梁の第２の対、ならびに、前記上部フレーム及び前記下部フレームに接合される複数の垂直柱を含むキャビネットフレームと、
前記前後梁の第１の対の１つに、かつ前記前後梁の第２の対の１つに、着脱自在に接合される前方機器レールと、
前記前方機器レールに、かつ前記複数の垂直柱の１つに接合される構造エアダムと、
を含み、
前記キャビネットフレームが、一対の前記複数の垂直柱の間に位置し、前記一対の垂直柱に接合される複数の補強前後梁をさらに含み、
前記構造エアダムが前記複数の補強前後梁に接合されている、電子機器キャビネット。
【請求項２２】
前記前後梁の第１の対が前記一対の左右梁に溶接され、前記前後梁の第２の対が前記一対の下部左右梁に溶接され、かつ前記垂直柱が前記上部フレーム及び前記下部フレームに溶接される、請求項２１に記載の電子機器キャビネット。
【請求項２３】
前記前後梁の第１の対及び前記前後梁の第２の対が、対応する前記垂直柱に対して差し込まれる、請求項２１に記載の電子機器キャビネット。
【請求項２４】
前記補強前後梁が前記一対の垂直柱に溶接される、請求項２１に記載の電子機器キャビネット。
【請求項２５】
前記構造エアダムがビームブラケットを通じて補強前後梁に接合される、請求項２１に記載の電子機器キャビネット。
【請求項２６】
前記前後梁の第１の対の１つに、前記前後梁の第２の対の１つに、かつ前記補強前後梁に着脱自在に接合される後方機器レールをさらに含む、請求項２１に記載の電子機器キャビネット。
【請求項２７】
前記後方機器レールが後方ビームブラケットを通じて前記補強前後梁に接合される、請求項２６に記載の電子機器キャビネット。
【請求項２８】
前記複数の垂直柱の２つに接合される上側パネル梁と、
前記複数の垂直柱の前記２つに接合される下側パネル梁と、
をさらに含む、請求項２１に記載の電子機器キャビネット。
【請求項２９】
前記上側パネル梁が前記複数の垂直柱の前記２つに溶接され、前記下側パネル梁が前記複数の垂直柱の前記２つに溶接される、請求項２８に記載の電子機器キャビネット。
【請求項３０】
前記下側パネル梁及び前記上側パネル梁に係合するように構成されるサイドパネルをさらに含む、請求項２８に記載の電子機器キャビネット。
【請求項３１】
前記サイドパネルの下部から延在し、前記サイドパネルの前記下部が前記下側パネル梁の上面に載せられるために、前記下側パネル梁内のスロットに係合するように構成されるタブを有する管状部材を前記サイドパネルが含む、請求項３０に記載の電子機器キャビネット。
【請求項３２】
前記上側パネル梁の１つのフランジに係合し、前記サイドパネルの取り外しを防止するように構成される前記サイドパネルの上部に隣接するロック機構を、前記サイドパネルがさらに含む、請求項３１に記載の電子機器キャビネット。
【請求項３３】
前記構造エアダムが略Ｃ字形断面を有し、その中に形成される少なくとも１つの通過可能な切欠部を含む、請求項２１に記載の電子機器キャビネット。
【請求項３４】
前記構造エアダムがポストブラケットを通じて前記前方機器レールに接合される、請求項２１に記載の電子機器キャビネット。
【請求項３５】
前記上部フレームに着脱自在に接合される上部キャップをさらに含む、請求項２１に記載の電子機器キャビネット。
【請求項３６】
前記上部フレームに着脱自在に接合される前部及び、前記上部フレームに着脱自在に接合される離れた後部を前記上部キャップが含む、請求項３５に記載の電子機器キャビネット。
【請求項３７】
データ及び／または電力ケーブルの通過を可能にするように構成される、少なくとも１つの開口部を前記上部キャップが含む、請求項３５に記載の電子機器キャビネット。
【請求項３８】
前記上部キャップに隣接する前記上部フレームに着脱自在に接合される垂直排気ダクトをさらに含む、請求項３５に記載の電子機器キャビネット。